【事件の表示】
　平成　９年特許願第２０６８３７号「楽音発生装置及びプログラムを記録した媒体」拒絶査定不服審判事件〔平成１０年　４月１４日出願公開、特開平１０−　９７２５６〕について、次のとおり審決する。
【結　論】
　本件審判の請求は、成り立たない。
【理　由】
１．手続きの経緯
　本願は、平成９年７月３１日（優先権主張平成８年７月３１日）の出願であって、平成１４年９月１０日付で拒絶査定がなされ、これに対し、同年１０月２４日に拒絶査定に対する審判請求が成されるとともに、同年１１月２５日付で手続補正がなされたものである。
　
２．平成１４年１１月２５日付の手続補正（以下「本件補正」という。）についての補正却下の決定
［補正却下の決定の結論］平成１４年１１月２５日付の手続補正を却下する。
［理由］本件補正により、特許請求の範囲の請求項１は、
「楽曲データの進行に従ってテンポ音を発生することのできるテンポ音発生手段と、
　楽音再生を開始する楽曲中の位置（楽音再生開始位置）を設定する再生開始位置設定手段と、
　前記楽音再生開始位置におけるテンポ（再生テンポ）を検出するテンポ検出手段と、
　前記楽音再生開始位置を含む小節から所定数前の小節の始まりから前記楽音再生開始位置の直前まで前記再生テンポに応じた時間間隔および１小節あたりの個数でテンポ音を発生するように前記テンポ音発生手段を制御する制御手段とを含み、
　前記制御手段は、再生指示時に再生開始位置の設定有無を判断し、再生開始位置の設定が有る場合は、前記テンポ音を発生後、該設定された再生開始位置から再生を開始し、再生開始位置の設定が無い場合は、前記テンポ音を発生後、楽曲の先頭から再生を開始することを特徴とする楽音発生装置。」
と補正された。
　上記補正は、請求項１に記載した発明を特定するために必要な事項である「制御手段」について「再生指示時に再生開始位置の設定有無を判断し、再生開始位置の設定が有る場合は、前記テンポ音を発生後、該設定された再生開始位置から再生を開始し、再生開始位置の設定が無い場合は、前記テンポ音を発生後、楽曲の先頭から再生を開始することを特徴とする」との限定を付加するものであって、特許法第１７条の２第４項第２号の特許請求の範囲の減縮を目的とするものに該当する。
　そこで、本件補正後の前記請求項１に記載された発明（以下「本願補正発明」という。）が特許出願の際独立して特許を受けることができるものであるか（特許法第１７条の２第５項において準用する同法第１２６条第４項の規定に適合するか）について以下に検討する。
　
（１）引用例
　原査定の拒絶理由に引用されたDigital Sequencer And Sound Module MT 120、日本、ローランド株式会社（平成６年５月１７日特許庁受入、以下「引用例」という。）には、「デジタル・シーケンサー＆サウンド・モジュールＭＴ−１２０と電子ピアノを接続した装置」に関し次のことが記載されている。
（ａ）ディスクを入れ、Valueボタンを押してソング（曲）を選び、プレイボタンを押すだけで、ディスクのソングを聞くことができます。
ディスクを入れる
　１ディスク・ドライブにディスクを入れます。
　　付属のデモ・ソング・ディスクDemo Song Dataを入れ、この中のソングを聞いてみましょう。
　　・・・
　　ディスクには、１０曲のデモ・ソングが入っています。・・・
　　ディスクの１曲目のソング・ネームが表示されます。
ソングを選ぶ
　２Value［−］［＋］ボタンを押すと、ディスクに入っているソングの名前が次々と表示されます。
　　ここでは、７曲目の「Minuet」（メヌエット）を選んでみましょう。
　　・・・
演奏を始める
　３［Play］ボタンを押すと、演奏が始まります（ボタンのランプがつきます）。
　　・・・
演奏を止める
　４［Stop］ボタンを押すと、演奏が止まります（［Play］ボタンのランプが消えます）（第１４頁２行ないし第１５頁１４行、第１４、図面）。
（ｂ）途中から演奏するには・・・
　１［Bwd］（巻戻し）や［Fwd］（早送り）ボタンを押して演奏を始めたい小節に移動します。
  　・・・
　２［Play］ボタンを押します（第１６頁８行ないし１８行、図面）。
（ｃ）ディスクのピアノのソングの片手の演奏に合わせて弾いてみましょう。
　ソングを選ぶ
　・・・
　１デモ・ソング・ディスクをディスク・ドライブに入れ、Value［-］［+］ボタンを押して、「Minuet」を選びます。　
テンポを調節する
　・・・
　１［Play］ボタンを押してメヌエットを演奏させます。
　２Value［-］［+］ボタンでちょうどよいテンポに調節して下さい。
　３［Stop］ボタンを押して、演奏を止めます（第１７頁２行ないし２１行、図面）。
（ｄ）右手の練習
　このピアノの曲は、左手の演奏がトラック３に、右手の演奏がトラック４に入っています。トラック４の音（右手の演奏）を消して、代わりに右手で電子ピアノを弾いてみましょう。
　１［Count In］ボタンを押して、ボタンのランプをつけます。
　　これで演奏前に２小節カウント音を聞くことができるようになります。
　２［Reset］ボタンを押して、ソングの先頭に戻します。
　３トラック・ボタンの４を押して、ランプを消します（ミュート）。
　　これで右手の演奏が鳴らなくなります。
　４［Play］ボタンを押します。
　　２小節のカウント音が鳴ってから左手の演奏が鳴ります。
　　左手の演奏に合わせて、右手を弾いてみましょう（第１８頁１行ないし１９行、図面）。
（ｅ）カウント・インについて
　［Count In］ボタンを押してボタンのランプをつけておくと、［Play］ボタンを押してから演奏が始まるまでにカウント音を鳴らすことができます。
  小節の途中からスタートさせたときは、直前の小節の先頭からカウント音が鳴ります。
  ●５小節目の先頭から演奏するとき　
　　［Play］を押すとここからカウント音が鳴る
  ●５小節目の途中から演奏するとき
　　［Play］を押すとここからカウント音が鳴る（第２０頁１行ないし９行、図面）。
　
（２）引用例記載の発明、対比
　上記引用例の記載及び関連する各図面によれば、引用例には、下記の構成を備えた「演奏装置」が記載されていると認められる。
　　　　　　　　　　　　記（引用例記載の発明）
（ｆ）複数曲のデモ・ソングが入っているディスクをディスク・ドライブに入れ、曲を選んで、［Play］ボタンを押すと、曲の最初の小節から演奏を行うこと。また、［Bwd］（巻戻し）や［Fwd］（早送り）ボタンを押して演奏を始めたい小節に移動した後、［Play］ボタンを押すと選んだ曲の途中の小節から演奏すること。さらに、演奏に際し、［Value］ボタンでテンポを調整すること。
（ｇ）前記デモ・ソングが入っているディスクの再生、演奏において、［Count In］ボタンを押してボタンのランプをつけた後、［Play］ボタンを押すと、２小節のカウント音が鳴ってから演奏が鳴ること。また、［Count In］ボタンを押してボタンのランプをつけておき、曲の小節の途中から演奏を開始するときには、［Play］を押すと、直前の小節の先頭から演奏が始まるまでカウント音が鳴ること。
　
　ここで、本願補正発明と引用例に記載された発明（以下「引用発明」という。）とを対比すると次のことが認められる。
（イ）引用発明は、上記（ｆ）、（ｇ）の構成を備えた演奏装置であることから、楽音発生装置を対象とするものといえ、また、［Count In］ボタンを備え、当該ボタンを押してボタンのランプをつけておき、［Play］ボタンを押すと、２小節のカウント音（本願補正発明でいうテンポ音に対応）が鳴ってから演奏が開始されるのであるから、本願補正発明と同様に、楽曲データの進行に従ってテンポ音を発生することのできるテンポ音発生手段を備えていることは明らかである。
（ロ）上記記載（ｆ）によれば、引用発明は、［Bwd］（巻戻し）や［Fwd］（早送り）ボタンを押して演奏を始めたい小節に移動した後、［Play］ボタンを押すと選んだ曲の途中の小節から演奏するのであるから、本願補正発明と同様に、楽音再生を開始する楽曲中の位置（楽音再生開始位置）を設定する再生開始位置設定手段を備えているといえる。
（ハ）上記記載（ｇ）によれば、引用発明は、［Count In］ボタンを押してボタンのランプをつけておき、曲の小節の途中から演奏を開始するときには、［Play］を押すと、直前の小節の先頭から演奏が始まるまでカウント音が鳴るのであるから、本願補正発明と同様に、楽音再生開始位置を含む小節から所定数前の小節の始まりから前記楽音再生開始位置の直前までテンポ音を発生するようにテンポ音発生手段を制御する制御手段を備えているといえ、また、前記制御手段は、再生指示時に再生開始位置の設定を判断し、テンポ音を発生後、該設定された再生開始位置から再生を開始するものといえる。
（ニ）もっとも、本願補正発明では、上記テンポ音を「再生テンポに応じた時間間隔および１小節当たりの個数で」発生しているのに対し、引用発明ではそのような開示はなく、また、本願補正発明では、上記制御手段が、再生指示時に再生開始位置の「設定有無」を判断し、「再生開始位置の設定が有る場合は」、前記テンポ音を発生後、該設定された再生開始位置から再生を開始し、「再生開始位置の設定が無い場合は」、前記テンポ音を発生後、「楽曲の先頭から再生を開始する」のに対し、引用発明では、再生指示時に再生開始位置の設定を判断し、テンポ音を発生後、該設定された再生開始位置から再生を開始している。
　以上の対比結果によれば、本願補正発明と引用発明とは、
「楽曲データの進行に従ってテンポ音を発生することのできるテンポ音発生手段と、
　楽音再生を開始する楽曲中の位置（楽音再生開始位置）を設定する再生開始位置設定手段と、
　前記楽音再生開始位置を含む小節から所定数前の小節の始まりから前記楽音再生開始位置の直前までテンポ音を発生するように前記テンポ音発生手段を制御する制御手段とを含み、
　前記制御手段は、再生指示時に再生開始位置の設定を判断し、前記テンポ音を発生後、該設定された再生開始位置から再生を開始することを特徴とする楽音発生装置。」である点で一致し、次の点で相違しているものと認められる。
　相違点（１）
　本願補正発明は、楽音再生開始位置におけるテンポ（再生テンポ）を検出するテンポ検出手段を備えているのに対し、引用発明は、このような手段を備えているか明示されていない点。
　相違点（２）
　本願補正発明は、上記テンポ音を「再生テンポに応じた時間間隔および１小節当たりの個数」で発生しているのに対し、引用発明ではそのような点について明示されていない点。
　相違点（３）
　本願補正発明では、上記制御手段が、再生指示時に再生開始位置の「設定有無」を判断し、「再生開始位置の設定が有る場合は」、前記テンポ音を発生後、該設定された再生開始位置から再生を開始し、「再生開始位置の設定が無い場合は」、前記テンポ音を発生後、「楽曲の先頭から再生を開始する」のに対し、引用発明では、再生指示時に再生開始位置の設定を判断し、テンポ音を発生後、該設定された再生開始位置から再生を開始している点。
　
（３）判断
　そこで以下、上記相違点について判断する。
　相違点（１）について
　相違点（１）に係る本願補正発明の構成は、明細書での説明に照らすと、通常、テンポは演奏データの冒頭に設定され、また、楽曲中でテンポが変更される場合には、所定位置にテンポ変更が設定されているので、再生開始位置が設定された場合、再生位置から時間的に遡ることにより、再生位置におけるテンポを検出するようにしたものといえるところ、演奏位置を設定する手段を備える楽音発生装置である自動演奏装置において、演奏位置を設定する際、当該位置のテンポを演奏データから検出することは、例えば、原査定で引用した特開平７−３３４１５４号公報、特開平４−２０４５００号公報等で開示されるように周知の事項であり、楽音再生開始位置を設定する手段を備える引用発明において、楽音再生開始位置におけるテンポ（再生テンポ）を検出するテンポ検出手段を設けることは、当業者が必要に応じて適宜なし得ることである。
　相違点（２）について
　楽音再生前にテンポ音を発生させる機能、すなわち、カウントイン機能を備えた楽音発生装置である自動演奏装置において、テンポを示す音を拍毎に発生させカウントインを行わせることは周知事項であり（例えば、原査定の拒絶理由に引用された実願平５−４７３４２号（実開平７−１６９９２号）のＣＤ−ＲＯＭ、特開平６−２３０７７５号公報等参照）、そうすると、引用発明において、カウントインにおいて発生するテンポ音を再生テンポに応じた時間間隔および１小節当たりの個数で発生するようにすることは、当業者が必要に応じて適宜なし得ることである。
　相違点（３）について
　相違点（３）に係る本願補正発明の構成は、明細書の記載に照らすと、要は再生ボタンが押されると再生開始位置が設定されているか否かを判断し、設定されておれば、設定位置から再生を開始し、設定されてなければ、曲の頭から再生を開始するようにしたものといえるところ、再生開始位置が設定可能な再生装置において、再生に際し、再生開始位置の設定がある場合は設定位置から、設定がない場合は、先頭から再生を行うことは常套の再生手法にすぎず、引用発明でも、巻戻しや早送りボタンを押して演奏を始めたい小節に移動し、演奏開始位置を設定したときは、再生ボタンが押されると、設定された演奏開始位置から再生を開始し、ディスクをディスクドライブに入れ、前記のような演奏開始位置の設定がされず、再生ボタンが押されると、曲の最初の小節から再生演奏がなされていることからすると、引用発明において、上記常套の再生手法を採用し、再生指示時に再生開始位置の設定有無を判断し、設定が有る場合は、テンポ音を発生後、設定された再生開始位置から再生を開始し、設定が無い場合は、テンポ音を発生後、楽曲の先頭から再生を開始するようにすることは、当業者が格別の困難性なくなし得たことと認められる。
　したがって、本願補正発明が上記相違点（３）に係る構成において格別のものであるとすることはできない。
　
　以上判断したとおり、本願補正発明の上記相違点（１）ないし(３)に係る構成は、いずれも、当業者が容易に想到し得たといえるものであり、上記各相違点を総合しても想到困難な格別な事項は見いだせない。また、本願補正発明の効果についてみても、上記構成の採用に伴って、当然に予測される程度のものにすぎず、格別顕著なものがあるとは認められない。
　したがって、本願補正発明は、引用例及び周知事項に基づいて、当業者が容易に発明をすることができたものであるから、特許法第２９条第２項の規定により特許出願の際独立して特許を受けることができないものである。
　
（４）むすび
　以上のとおり、本件補正は、特許法第１７条の２第５項で準用する同法第１２６条第４項の規定に違反するものであり、特許法第１５９条第１項で準用する特許法第５３条第１項の規定により却下されるべきものである。
　
３．本願発明について
　平成１４年１１月２５日付の手続補正は上記のとおり却下されたので、本願の請求項１ないし６に係る発明は、平成１４年８月２３日付けの手続補正書により補正された明細書の特許請求の範囲の請求項１ないし６に記載されたとおりのものであるところ、請求項１に係る発明（以下「本願発明」という。）は次のとおりのものである。
「楽曲データの進行に従ってテンポ音を発生することのできるテンポ音発生手段と、
　楽音再生を開始する楽曲中の位置（楽音再生開始位置）を設定する再生開始位置設定手段と、
　前記楽音再生開始位置におけるテンポ（再生テンポ）を検出するテンポ検出手段と、
　前記楽音再生開始位置を含む小節から所定数前の小節の始まりから前記楽音再生開始位置の直前まで前記再生テンポに応じた時間間隔および１小節あたりの個数でテンポ音を発生するように前記テンポ音発生手段を制御する制御手段とを含む楽音発生装置。」
　
（１）引用例
　原査定の拒絶の理由に引用された引用例及びその記載事項は、前記「２．（１）」に記載したとおりである。
　
（２）対比・判断
　本願発明は、前記２．で検討した本願補正発明から「制御手段」の限定事項である「再生指示時に再生開始位置の設定有無を判断し、再生開始位置の設定が有る場合は、前記テンポ音を発生後、該設定された再生開始位置から再生を開始し、再生開始位置の設定が無い場合は、前記テンポ音を発生後、楽曲の先頭から再生を開始することを特徴とする」との構成を省いたものである。
　そうすると、本願発明の構成要件をすべて含み、さらに他の構成要件を付加したものに相当する本願補正発明が、前記「２．（３）」に記載したとおり、引用例及び周知事項に基づいて、当業者が容易に発明をすることができたものであるから、本願発明も、同様の理由により、引用例及び周知事項に基づいて、当業者が容易に発明をすることができたものである。
　
（３）むすび
　以上のとおり、本願の請求項１に係る発明は、引用例及び周知事項に基づいて当業者が容易に発明をすることができたものであるから、特許法第２９条第２項の規定により特許を受けることができない。
　したがって、本願の他の請求項について検討するまでもなく、本願は拒絶されるべきものである。
　よって、結論のとおり審決する。